(57)【要約】【課題】一直線状の形状を備える光ガイド部材を配設することによって、形状が簡素で、小型でコストの低い光ガイド部材を使用することができ、光ガイド部材を配設するスペースが小さいのでサイズを小型化することができ、任意の部位に光ガイド部材を配設することができ、光ガイド部材の取付作業を容易に行うことができ、組立コストを抑制することができるようにする。【解決手段】絶縁性材料から成るコネクタ本体と、コネクタ本体に取付けられ、相手方コネクタの相手方端子と接触する端子と、発光部材の発する光をコネクタ本体の外部に導出する光ガイド部材とを有する表示機能付コネクタであって、コネクタ本体は、相手方コネクタの嵌合方向が基板面と平行となるように基板面上に実装され、光ガイド部材は、一直線状の形状を備える部材であり、相手方コネクタの嵌合方向に関してコネクタ本体の中間部分に位置する受光部を備え、コネクタ本体の基板側の面に沿って配設される。【選択図】図１
2007287350.tif 000002
【特許請求の範囲】
【請求項１】
（ａ）絶縁性材料から成るコネクタ本体（１１）と、
（ｂ）該コネクタ本体（１１）に取付けられ、相手方コネクタ（６０）の相手方端子（６３）と接触する端子（３３）と、
（ｃ）発光部材（５２）の発する光を前記コネクタ本体（１１）の外部に導出する光ガイド部材（４１）とを有する表示機能付コネクタ（１０）であって、
（ｄ）前記コネクタ本体（１１）は、前記相手方コネクタ（６０）の嵌合方向が基板（５１）面と平行となるように該基板（５１）面上に実装され、
（ｅ）前記光ガイド部材（４１）は、一直線状の形状を備える部材であり、前記相手方コネクタ（６０）の嵌合方向に関してコネクタ本体（１１）の中間部分に位置する受光部を備え、前記コネクタ本体（１１）の基板（５１）側の面に沿って配設されることを特徴とする表示機能付コネクタ（１０）。
【請求項２】
前記光ガイド部材（４１）は、発光部材（５２）側端に傾斜面（４６ｂ）を備える請求項１に記載の表示機能付コネクタ（１０）。
【請求項３】
前記光ガイド部材（４１）は、発光部材（５２）側端に凹状部（４４）を備え、該凹状部（４４）内に前記発光部材（５２）の少なくとも一部が進入し、前記凹状部（４４）を画定する面の少なくとも一部が前記発光部材（５２）が発する光を直接受光する請求項１に記載の表示機能付コネクタ（１０）。
【請求項４】
前記凹状部（４４）を画定する面の少なくとも一部が前記発光部材（５２）の主たる発光面の一部とオーバーラップする請求項３に記載の表示機能付コネクタ（１０）。
【請求項５】
前記凹状部（４４）を画定する面は、前記相手方コネクタ（６０）の嵌合方向に突出する庇部（４５）の面（４６ａ）を含む請求項４に記載の表示機能付コネクタ（１０）。
【請求項６】
（ａ）前記発光部材（５２）は、主たる発光方向が基板（５１）面と垂直となるように該基板（５１）面上に実装され、
（ｂ）前記光ガイド部材（４１）は、前記コネクタ本体（１１）の基板（５１）側に形成された前記嵌合方向に延在する収容凹部（１５ａ）内に収容され、反発光部材側端部（４２）が前記コネクタ本体（１１）の嵌合側の端面に露出する請求項１に記載の表示機能付コネクタ（１０）。
【発明の詳細な説明】
【技術分野】
【０００１】
本発明は、表示機能付コネクタに関するものである。
【背景技術】
【０００２】
従来、イーサネット（Ｒ）（Ｅｔｈｅｒｎｅｔ）用のケーブル等を接続するモジューラロゼット型のコネクタとして、インジケータを備える表示機能付コネクタが提供されている（例えば、特許文献１参照。）。例えば、ＬＥＤ（Ｌｉｇｈｔ  Ｅｍｉｔｔｉｎｇ  Ｄｉｏｄｅ）等の光源からの光を外部に表示することによって、モジューラロゼットにモジューラジャックが接続されている状態や、信号の送受信を行っている状態を表示するようになっている。
【０００３】
図７は従来の表示機能付コネクタを示す図である。
【０００４】
図に示されるように、表示機能付コネクタは、前面部３０２及び底面部３０３を備え、合成樹脂等の絶縁性材料から成る箱状のコネクタハウジング３０１、並びに、該コネクタハウジング３０１の周囲を覆う金属製のシールド部材３０４を有し、回路基板等の基板３０５に実装されている。また、該基板３０５には、ＬＥＤ３０６が実装されている。そして、該ＬＥＤ３０６からの光は、コネクタハウジング３０１に取付けられたライトガイド３０７を通って前面部３０２の下部から放出される。これにより、ユーザは表示機能付コネクタの状態を把握することができる。また、ＬＥＤ３０６が基板３０５に実装され、コネクタ自体に取付けられていないので、ＬＥＤ３０６を点灯させる際に発生するノイズの影響を受けることがない。
【特許文献１】特開平１０−３０８２５８号公報
【発明の開示】
【発明が解決しようとする課題】
【０００５】
しかしながら、前記従来の表示機能付コネクタにおいては、ライトガイド３０７が略Ｌ字状に屈曲した形状を備えている。そのため、ライトガイド３０７の形状が複雑となり、製作が困難でコストが高くなってしまう。また、ライトガイド３０７の体積が大きくなり、その結果、表示機能付コネクタ全体のサイズが大型化してしまう。さらに、ライトガイド３０７の形状が複雑なため、ライトガイド３０７を取付ける作業が困難で、時間がかかってしまう。
【０００６】
本発明は、前記従来の表示機能付コネクタの問題点を解決して、一直線状の形状を備える光ガイド部材を配設することによって、形状が簡素で、小型でコストの低い光ガイド部材を使用することができ、光ガイド部材を配設するスペースが小さいのでサイズを小型化することができ、任意の部位に光ガイド部材を配設することができ、光ガイド部材の取付作業を容易に行うことができ、組立コストを抑制することができる表示機能付コネクタを提供することを目的とする。
【課題を解決するための手段】
【０００７】
そのために、本発明の表示機能付コネクタにおいては、絶縁性材料から成るコネクタ本体と、該コネクタ本体に取付けられ、相手方コネクタの相手方端子と接触する端子と、発光部材の発する光を前記コネクタ本体の外部に導出する光ガイド部材とを有する表示機能付コネクタであって、前記コネクタ本体は、前記相手方コネクタの嵌合方向が基板面と平行となるように該基板面上に実装され、前記光ガイド部材は、一直線状の形状を備える部材であり、前記相手方コネクタの嵌合方向に関してコネクタ本体の中間部分に位置する受光部を備え、前記コネクタ本体の基板側の面に沿って配設される。
【０００８】
本発明の他の表示機能付コネクタにおいては、さらに、前記光ガイド部材は、発光部材側端に傾斜面を備える。
【０００９】
本発明の更に他の表示機能付コネクタにおいては、さらに、前記光ガイド部材は、発光部材側端に凹状部を備え、該凹状部内に前記発光部材の少なくとも一部が進入し、前記凹状部を画定する面の少なくとも一部が前記発光部材が発する光を直接受光する。
【００１０】
本発明の更に他の表示機能付コネクタにおいては、さらに、前記凹状部を画定する面の少なくとも一部が前記発光部材の主たる発光面の一部とオーバーラップする。
【００１１】
本発明の更に他の表示機能付コネクタにおいては、さらに、前記凹状部を画定する面は、前記相手方コネクタの嵌合方向に突出する庇部の面を含む。
【００１２】
本発明の更に他の表示機能付コネクタにおいては、さらに、前記発光部材は、主たる発光方向が基板面と垂直となるように該基板面上に実装され、前記光ガイド部材は、前記コネクタ本体の基板側に形成された前記嵌合方向に延在する収容凹部内に収容され、反発光部材側端部が前記コネクタ本体の嵌合側の端面に露出する。
【発明の効果】
【００１３】
本発明によれば、表示機能付コネクタは、一直線状の形状を備える光ガイド部材を有する。これにより、形状が簡素で、小型でコストの低い光ガイド部材を使用することができ、光ガイド部材を配設するスペースが小さいのでサイズを小型化することができ、任意の部位に光ガイド部材を配設することができ、光ガイド部材の取付作業を容易に行うことができ、組立コストを抑制することができる。
【発明を実施するための最良の形態】
【００１４】
以下、本発明の実施の形態について図面を参照しながら詳細に説明する。
【００１５】
図１は本発明の第１の実施の形態における表示機能付コネクタの分解組立図、図２は本発明の第１の実施の形態における表示機能付コネクタの斜視図、図３は本発明の第１の実施の形態における表示機能付コネクタ及び相手方コネクタの嵌合する前の状態を示す斜視図である。
【００１６】
図において、１０は本実施の形態における表示機能付コネクタであり、プリント回路基板等の基板５１に実装され、相手方コネクタ６０と嵌合され、前記基板５１と相手方コネクタ６０に接続された装置とを電気的に接続する。なお、本実施の形態において、相手方コネクタ６０は、ケーブルの端部に接続されるコネクタであればいかなる種類のものであってもよいが、ここでは、イーサネット（Ｒ）規格の一つである１００ＢＡＳＥ規格に準拠したモジューラジャックであるものとして説明する。なお、図３においては、相手方コネクタ６０に接続されたケーブルの描画が省略されている。また、表示機能付コネクタ１０も、相手方コネクタ６０が嵌合されるコネクタであれば、いかなる種類のものであってもよいが、ここでは、相手方コネクタ６０の例に適合させ、１００ＢＡＳＥ規格に準拠したモジューラロゼットであるものとして説明する。
【００１７】
なお、本実施の形態において、表示機能付コネクタ１０及び相手方コネクタ６０の各部の構成及び動作を説明するために使用される上、下、左、右、前、後等の方向を示す表現は、絶対的なものでなく相対的なものであり、表示機能付コネクタ１０及び相手方コネクタ６０が図に示される姿勢である場合に適切であるが、表示機能付コネクタ１０及び相手方コネクタ６０の姿勢が変化した場合には姿勢の変化に応じて変更して解釈されるべきものである。
【００１８】
そして、表示機能付コネクタ１０は、図１に示されるように、合成樹脂等の絶縁性材料によって一体的に形成され、前記相手方コネクタ６０と嵌合するコネクタ本体としてのハウジング１１と、該ハウジング１１に取付けられる端子ユニット３１と、金属等の導電性材料から成り、前記ハウジング１１の周囲を覆うシールド部材２１とを有する。
【００１９】
前記ハウジング１１は、概略方形の箱状の形状を備え、基板５１と対向する面を下面とする底板部１２、及び、該底板部１２の両側端に垂直に接続され、相手方コネクタ６０の嵌合方向に延在する側壁部１３を有するが、前記底板部１２の上方部分、すなわち、上面と、相手方コネクタ６０と嵌合する側、すなわち、嵌合側の端面と、反嵌合側の端面とは、開放されている。なお、開放されている嵌合側の端面は、相手方コネクタ６０と嵌合する嵌合開口として機能する。そして、前記底板部１２の両側端における側壁部１３との接続部分には、光ガイド部材としてのライトガイド４１が収容される収容凹部１５ａを備えるライトガイド収容部１５が形成されている。なお、本実施の形態においては、収容凹部１５ａが底板部１２の両側に各々形成され、合計二本のライトガイド４１が収容される。また、前記底板部１２には下方に延出する取付用脚部１４が一体的に形成されている。該取付用脚部１４は、基板５１に形成された取付用貫通孔（こう）に挿入されて係合することによって、ハウジング１１を基板５１に固定する。
【００２０】
また、前記端子ユニット３１は、合成樹脂等の絶縁性材料によって一体的に形成された概略方形のユニット本体部３２、該ユニット本体部３２の上端縁から前方に突出する庇（ひさし）状の端子支持部３６、及び、金属等の導電性材料から成り、途中で曲げられた概略Ｖ字状の棒状部材である複数の端子３３を有する。該端子３３は、根本部分が端子支持部３６によって保持され、屈曲部分より先端側が斜め下方に、かつ、ユニット本体部３２に向けて延出する。なお、前記端子３３の本数、ピッチ等は、１００ＢＡＳＥ規格に準拠したものとなっている。
【００２１】
そして、前記ユニット本体部３２には、金属等の導電性材料から成り、下方に延出する棒状部材である複数の接続ピン３４が取付けられている。なお、各接続ピン３４は、ユニット本体部３２の上面に配設された導電線３５を介して、対応する端子３３に電気的に接続されている。そして、前記接続ピン３４は、基板５１に形成されたスルーホールに挿入されて貫通する。なお、該スルーホールは、接続ピン３４の配列に対応した配列で、基板５１に形成され、図示されない導電トレースと電気的に接続されている。そして、接続ピン３４の下端部は、スルーホールを貫通した状態ではんだ付され、基板５１に形成された導電トレースと電気的に接続する基板接続部として機能する。さらに、接続ピン３４の下端部がスルーホールにはんだ付されることによって、表示機能付コネクタ１０が基板５１に固定される。なお、前記接続ピン３４の本数、ピッチ等は、１００ＢＡＳＥ規格に準拠したものとなっている。
【００２２】
また、前記ユニット本体部３２の嵌合側の面には、前方、すなわち、嵌合方向に延出する腕部３７が一体的に形成されている。さらに、前記端子支持部３６の両側面には嵌合方向に延在する取付用凸部３６ａが一体的に形成されている。一方、前記ハウジング１１の側壁部１３の上端部内面側には、嵌合方向に延在する取付用凹溝１６ａを備えるユニット取付部１６が形成されている。そして、前記ハウジング１１の反嵌合側における開放された端面から端子ユニット３１を前記ハウジング１１内に進入させて取付ける。この場合、前記取付用凸部３６ａが取付用凹溝１６ａ内に嵌入され、腕部３７の下面が一方のライトガイド収容部１５の上面に当接して、端子ユニット３１とハウジング１１との位置決めが行われる。
【００２３】
さらに、前記シールド部材２１は、概略方形の箱状の形状を備えるが、基板５１と対向する面、すなわち、底面は開放されている。また、嵌合側の端面には表示機能付コネクタ１０の嵌合開口として機能する大きな嵌合開口部２４が形成されている。さらに、嵌合側の端面の下部における左右両側には、収容凹部１５ａに対応する位置にライトガイド用開口２３が形成されている。そして、前記シールド部材２１は、ユニット本体部３２が取付けられたハウジング１１に、上から被せるようにして取付けられる。これにより、ハウジング１１及びユニット本体部３２は、基板５１に対向する面を除いて、シールド部材２１によって覆われることとなる。なお、シールド部材２１の下端には、下方に延出するシールド用脚部２２が一体的に形成され、該シールド用脚部２２は、基板５１に形成されたスルーホールに挿入されて貫通する。なお、該スルーホールは、基板５１が備える図示されないグランド用導電トレースと電気的に接続されている。そして、シールド用脚部２２の下端部は、スルーホールを貫通した状態ではんだ付され、基板５１に形成されたグランド用導電トレースと電気的に接続して接地される。
【００２４】
また、前記相手方コネクタ６０は、図３に示されるように、合成樹脂等の絶縁性材料によって一体的に形成され、概略方形の箱状の形状を備える相手方ハウジング６１、及び、金属等の導電性材料から成り、前記相手方ハウジング６１の上面に取付けられた相手方端子６３を有する。なお、該相手方端子６３の本数、ピッチ等は、１００ＢＡＳＥ規格に準拠したものとなっている。また、前記相手方ハウジング６１の下面には、オペレータが手指等によって操作して、表示機能付コネクタ１０との係合状態を解除するための解除用操作レバー６２が接続されている。そして、表示機能付コネクタ１０と相手方コネクタ６０とを嵌合させる際には、図３に示されるような状態で、相手方コネクタ６０を表示機能付コネクタ１０に向けて移動させ、嵌合開口部２４を通して内部に進入させる。そして、相手方コネクタ６０が表示機能付コネクタ１０内の奥にまで進入すると、端子３３に相手方端子６３が接触して導通し、表示機能付コネクタ１０と相手方コネクタ６０とが相互に係合して嵌合状態が維持される。
【００２５】
次に、前記ライトガイド４１について詳細に説明する。
【００２６】
図４は本発明の第１の実施の形態における表示機能付コネクタの断面図であり図２におけるＡ−Ａ矢視断面図、図５は本発明の第１の実施の形態におけるライトガイドの斜視図である。なお、図５（ａ）は前方斜め上から観た図であり、図５（ｂ）は後方斜め下から観た図である。
【００２７】
本実施の形態において、ライトガイド４１は、図５に示されるように、一直線状の棒状部材であり、発光部材側端部（図５（ａ）における右側端部、及び、図５（ｂ）における左側端部）に受光部としての凹状部４４を備えている。前記ライトガイド４１は、例えば、石英、ガラス等のセラミクスから成るものであってもよいし、アクリル樹脂、フッ素系樹脂等のポリマーから成るものであってもよいし、光を透過する透明な材料であれば、いかなる種類の材料から成るものであってもよい。また、図に示される例において、ライトガイド４１は断面がほぼ正方形の四角柱状の部材であるが、ライトガイド４１の断面はいかなる形状であってもよく、例えば、長方形、平行四辺形、三角形、六角形、円形、楕（だ）円形等であってもよい。なお、前記ライトガイド４１は、図４に示されるように、ハウジング１１の収容凹部１５ａに圧入されて収容されるので、前記ライトガイド４１の断面は、形状及びサイズが収容凹部１５ａの断面と一致するように形成される。この場合、前記凹状部４４は、発光部材５２に対応する位置、すなわち、相手方コネクタ６０の嵌合方向に関してコネクタ本体１１の中間部分に位置する。
【００２８】
また、シールド部材２１のライトガイド用開口２３は、前記ライトガイド４１の断面よりも小さくなるように形成されている。そのため、ライトガイド４１を収容凹部１５ａに圧入した後でシールド部材２１をハウジング１１に取付けることによって、シールド部材２１の嵌合側の端面がライトガイド４１の抜止め部材として機能し、ライトガイド４１が収容凹部１５ａから離脱することを防止する。
【００２９】
そして、前記ライトガイド４１の反発光部材側端部は、光を放出する表示部４２である。図に示される例において、該表示部４２は平坦（たん）な形状を備えているが、例えば、凸レンズ状の形状を備えていてもよいし、いかなる形状を備えるものであってもよい。また、前記ライトガイド４１の下面には長手方向に延在する凸条部４３が形成されており、該凸条部４３は収容凹部１５ａの床面に形成された凹溝に係合する。なお、前記凸条部４３は、適宜省略することもできる。
【００３０】
ここで、前記凹状部４４は、図５（ｂ）に示されるように、ライトガイド４１の発光部材側端部から庇部４５を残し、該庇部４５の下方部分を除去したような形状を備え、庇部４５の下側の天井面４６ａと、該天井面４６ａ及びライトガイド４１の下面に斜めに接続されている傾斜面４６ｂとによって二方が画定された空間である。そして、図４に示されるように、ライトガイド４１が収容凹部１５ａに収容された状態では、凹状部４４内に発光部材５２の一部が進入する。また、前記庇部４５の先端は、収容凹部１５ａ内の奥の壁に当接する。これにより、相手方コネクタ６０の嵌合方向に関してライトガイド４１を位置決めすることができる。
【００３１】
なお、該発光部材５２は、発光体５２ａ及びカバー部材５２ｂを含み、基板５１の面上に実装されている。前記発光体５２ａは、例えば、電球であってもよいし、光を発する部材であれば、いかなる種類のものであってもよいが、ここでは、ＬＥＤであるものとして説明する。また、前記カバー部材５２ｂは、発光体５２ａの発光面を覆い光を透過する部材であればいかなる種類の部材であってもよく、例えば、発光体５２ａからの光を集光するレンズとしての機能を備えるものであってもよいし、所定の波長の光のみを透過するフィルタとしての機能を備えるものであってもよい。さらに、前記カバー部材５２ｂは、発光体５２ａからの光を全表面から透過するものであってもよいし、指向性を備え、表面の一部のみから透過するものであってもよい。ここでは、前記カバー部材５２ｂが指向性を備える部材であって、発光体５２ａからの光を主として図４における上面から透過して上向きに発するもの、すなわち、図４における上面が主たる発光面であって、主たる発光方向が基板５１面と垂直となっているものとして説明する。
【００３２】
そして、本実施の形態においては、ライトガイド４１の天井面４６ａがカバー部材５２ｂの上方に位置し、傾斜面４６ｂがカバー部材５２ｂの斜め上方に位置し、該カバー部材５２ｂの主たる発光面としての上面の上方を覆っている。すなわち、ライトガイド４１の凹状部４４が発光部材５２の主たる発光面の大半とオーバーラップするようになっている。そのため、発光部材５２から発せられた光の大半は、凹状部４４を画定する面、すなわち、天井面４６ａ及び傾斜面４６ｂに直接受光される。そして、前記天井面４６ａ及び傾斜面４６ｂを通してライトガイド４１内に導かれ、該ライトガイド４１内を透過して表示部４２から放出される。これにより、例えば、前記発光部材５２がモジューラロゼットにモジューラジャックが接続されていると発光したり、信号の送受信が行われていると発光したりするようになっている場合、オペレータは、表示機能付コネクタ１０の嵌合側の端面に配設されているライトガイド４１の表示部４２から光が放出されたことによって、モジューラロゼットにモジューラジャックが接続されていることや、信号の送受信が行われていることを認識することができる。
【００３３】
なお、本実施の形態においては、ライトガイド４１の凹状部４４が発光部材５２の主たる発光面の大半とオーバーラップする例について説明したが、前記凹状部４４は、発光部材５２の主たる発光面の少なくとも一部とオーバーラップすればよい。前記凹状部４４が発光部材５２の主たる発光面の少なくとも一部とオーバーラップすれば、発光部材５２から発せられた光の少なくとも一部は、ライトガイド４１内に導かれて表示部４２から放出されるので、発光部材５２が発光していることを表示機能付コネクタ１０の嵌合側の端面において認識することができる。また、図４及び５に示される例においては、傾斜面４６ｂの傾斜角度がライトガイド４１の長手方向に対して４５度になっているが、傾斜面４６ｂの傾斜角度は、何度であってもよく、適宜設定することができる。
【００３４】
このように、本実施の形態においては、ライトガイド４１が一直線状の形状を備える。これにより、形状が簡素で、小型でコストの低いライトガイド４１を使用することができ、ライトガイド４１を配設するスペースが小さいので、表示機能付きコネクタ１０のサイズを小型化することができる。また、任意の部位にライトガイド４１を配設することができる。さらに、ライトガイド４１の取付作業を容易に行うことができ、表示機能付きコネクタ１０の組立コストを抑制することができる。
【００３５】
また、ライトガイド４１は、発光部材側端部に傾斜面４６ｂを備えるので、該傾斜面４６ｂに接近するように発光部材５２を配設することができる。これにより、該発光部材５２が発する光が傾斜面４６ｂを通してライトガイド４１内に導かれるので、表示機能付コネクタ１０の嵌合側の端面に配設されているライトガイド４１の表示部４２から前記光を放出して表示することができる。
【００３６】
さらに、ライトガイド４１は、発光部材側端部に凹状部４４を備え、該凹状部４４内に発光部材５２の少なくとも一部が進入し、凹状部４４を画定する面の少なくとも一部が発光部材５２が発する光を直接受光する。そのため、発光部材５２を配設するためのスペースを小型化することができ、表示機能付きコネクタ１０のサイズを小型化することができる。
【００３７】
さらに、凹状部４４を画定する面の少なくとも一部が発光部材５２の主たる発光面の一部とオーバーラップするので、発光部材５２が発する光がライトガイド４１内に導かれ、該ライトガイド４１の表示部４２から前記光を放出して表示することができる。
【００３８】
次に、本発明の第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００３９】
図６は本発明の第２の実施の形態におけるライトガイドの斜視図である。なお、図６（ａ）は前方斜め上から観た図であり、図６（ｂ）は後方斜め下から観た図である。
【００４０】
本実施の形態において、ライトガイド４１の凹状部４４は、図６（ｂ）に示されるように、ライトガイド４１の発光部材側端部から庇部４５を残し、該庇部４５の下方部分を除去したような形状を備え、庇部４５の下側の天井面４６ａと、該天井面４６ａ及びライトガイド４１の下面に接続されている垂直面４６ｃとによって二方が画定された空間である。すなわち、本実施の形態におけるライトガイド４１は、前記第１の実施の形態における傾斜面４６ｂに代えて、垂直面４６ｃを備えるものである。そして、図４に示されるように、ライトガイド４１が収容凹部１５ａに収容された状態では、天井面４６ａがカバー部材５２ｂの上方に位置し、垂直面４６ｃがカバー部材５２ｂの側方に位置し、ライトガイド４１の凹状部４４の少なくとも一部が発光部材５２の主たる発光面とオーバーラップするようになっている。そのため、発光部材５２から発せられた光の少なくとも一部は、凹状部４４を構成する面、すなわち、天井面４６ａ及び垂直面４６ｃを通してライトガイド４１内に導かれ、該ライトガイド４１内を透過して表示部４２から放出される。
【００４１】
なお、その他の点の構成については、前記第１の実施の形態と同様であるので、その説明を省略する。
【００４２】
また、前記第１及び第２の実施の形態においては、凹状部４４が天井面４６ａと傾斜面４６ｂとによって、及び、天井面４６ａと垂直面４６ｃとによって、すなわち、二つの平面によって二方が画定された空間である場合について説明したが、前記凹状部４４は、平面と曲面とによって画定されたものであってもよい。例えば、前記第１の実施の形態における天井面４６ａと傾斜面４６ｂとを滑らかな曲面で接続することによって、前記凹状部４４を二つの平面と一つの曲面とによって画定されたものとすることができる。さらに、これら二つの平面と一つの曲面とから成る連続面を一つの曲面で構成することによって、前記凹状部４４を一つの曲面によって画定されたものとすることができる。さらに、前記第１の実施の形態における庇部４５を省略することによって、前記凹状部４４を傾斜面４６ｂのみによって、すなわち、一つの平面によって画定されたものとすることもできる。
【００４３】
さらに、前記第１及び第２の実施の形態においては、表示機能付コネクタ１０が１００ＢＡＳＥ規格に準拠したモジューラロゼットである例についてのみ説明したが、表示機能付コネクタ１０は、発光部材５２及びライトガイド４１を備えるコネクタであれば、いかなる構造のものであってもよい。また、前記第１及び第２の実施の形態においては、発光部材５２及びライトガイド４１が表示機能付コネクタ１０の下部に配設された場合について説明したが、発光部材５２及びライトガイド４１は、表示機能付コネクタ１０のいかなる部位に配設されてもよく、例えば、上部に配設されてもよい。さらに、前記第１及び第２の実施の形態においては、ライトガイド４１が基板５１と平行な方向に延在する場合について説明したが、ライトガイド４１はいかなる方向に延在するものであってもよく、例えば、基板５１と垂直な方向に延在するものであってもよい。
【００４４】
なお、本発明は前記実施の形態に限定されるものではなく、本発明の趣旨に基づいて種々変形させることが可能であり、それらを本発明の範囲から排除するものではない。
【図面の簡単な説明】
【００４５】
【図１】本発明の第１の実施の形態における表示機能付コネクタの分解組立図である。
【図２】本発明の第１の実施の形態における表示機能付コネクタの斜視図である。
【図３】本発明の第１の実施の形態における表示機能付コネクタ及び相手方コネクタの嵌合する前の状態を示す斜視図である。
【図４】本発明の第１の実施の形態における表示機能付コネクタの断面図であり図２におけるＡ−Ａ矢視断面図である。
【図５】本発明の第１の実施の形態におけるライトガイドの斜視図である。
【図６】本発明の第２の実施の形態におけるライトガイドの斜視図である。
【図７】従来の表示機能付コネクタを示す図である。
【符号の説明】
【００４６】
１０    表示機能付コネクタ
１１    ハウジング
１２    底板部
１３    側壁部
１４    取付用脚部
１５    ライトガイド収容部
１５ａ    収容凹部
１６    ユニット取付部
１６ａ    取付用凹溝
２１、３０４    シールド部材
２２    シールド用脚部
２３    ライトガイド用開口
２４    嵌合開口部
３１    端子ユニット
３２    ユニット本体部
３３    端子
３４    接続ピン
３５    導電線
３６    端子支持部
３６ａ    取付用凸部
３７    腕部
４１、３０７    ライトガイド
４２    表示部
４３    凸条部
４４    凹状部
４５    庇部
４６ａ    天井面
４６ｂ    傾斜面
４６ｃ    垂直面
５１、３０５    基板
５２    発光部材
５２ａ    発光体
５２ｂ    カバー部材
６０    相手方コネクタ
６１    相手方ハウジング
６２    解除用操作レバー
６３    相手方端子
３０１    コネクタハウジング
３０２    前面部
３０３    底面部
３０６    ＬＥＤ
【図１】
2007287350.tif 000003
【図２】
2007287350.tif 000004
【図３】
2007287350.tif 000005
【図４】
2007287350.tif 000006
【図５】
2007287350.tif 000007
【図６】
2007287350.tif 000008
【図７】
2007287350.tif 000009